(57)【要約】      （修正有）【課題】設置作業性を容易にし、施工費の低減を図った土留め部材および土留め部材の設置方法を提供する。【解決手段】支柱部材３は、壁面部材２と連結されるパイプ状部材である支柱３１と、地中に打ち込まれる複数本の杭３２と、支柱３１と複数本の杭３２とを結合する結合部材３３とを含み、結合部材３３は、断面矩形状の部材であり、長手方向の両端部で、短手方向側部に、それぞれ杭３２を固定する杭固定部３５を溶接などで一体に設け、杭固定部３５には、杭固定部３５内に杭３２の上端部が突き出している状態で、杭固定部３５の穴部と杭３２との間を例えばシリコーングリースなどの封止剤で封止した状態で、杭固定部３５内にモルタル、コンクリートなどの固定材を充填して固化させる。【選択図】図３
2019190096.tif 000002
【特許請求の範囲】
【請求項１】
壁面部材を複数の支柱部材で支える土留め部材であって、
前記支柱部材は、
前記壁面部材と連結する支柱と、
複数本の杭と、
前記支柱と前記複数本の杭とを結合する結合部材と、を含む
ことを特徴とする土留め部材。
【請求項２】
前記支柱は、前記結合部材を貫通した状態で前記結合部材に結合されている
ことを特徴とする請求項１に記載の土留め部材。
【請求項３】
前記結合部材は、前記杭を固定する箱状の杭固定部を有し、
前記杭固定部に充填される固定材で前記杭が固定される
ことを特徴とする請求項１又は２に記載の土留め部材。
【請求項４】
前記杭は、前記結合部材に締結具で固定される
ことを特徴とする請求項１又は２に記載の土留め部材。
【請求項５】
前記杭は異形鉄筋杭又は鋼管である
ことを特徴とする請求項１ないし４のいずれかい記載の土留め部材。
【請求項６】
壁面部材と連結する支柱と、
複数本の杭と、
前記支柱と前記複数本の杭とを結合する結合部材と、を含む土留め部材を設置する方法であって、
前記結合部材に固定された前記支柱の端部を地中に打ち込む工程と、
前記結合部材と固定可能な状態で前記複数本の杭を前記地中に打ち込む工程と、
前記杭を前記結合部材に固定する工程と、を行う
ことを特徴とする土留め部材の設置方法。
【請求項７】
前記結合部材の少なくとも一部は地中に埋設した状態にする
ことを特徴とする請求項５に記載の土留め部材の設置方法。
【請求項８】
前記結合部材は、前記杭と固定する箱状の杭固定部を有し、
前記杭を前記結合部材に固定する工程では、前記杭固定部内にモルタル又はコンクリートを充填する
ことを特徴とする請求項７又８に記載の土留め部材の設置方法。
【請求項９】
前記杭を前記結合部材に固定する工程では、前記杭を締結具で固定する
ことを特徴とする請求項７又は８に記載の土留め部材の設置方法。
【発明の詳細な説明】
【技術分野】
【０００１】
本発明は土留め部材、土留め部材の設置方法に関する。
【背景技術】
【０００２】
土留め柵や土留め擁壁などの土留め部材として、再生プラスチックを使用したものが使用されるようになっている。
【０００３】
従来、地表に適宜間隔で立設された複数の支柱間に柵体が架設されてなる土留め柵において、支柱は鋼管に合成樹脂を被覆して作製された合成樹脂被覆鋼管の一端に先端が円錐状に形成された栓状体が取り付けられ、他端に金属製の帽子状蓋体が被せられてなり、柵体は合成樹脂製網状体の４辺に金属製枠体が取着されてなる土留め柵が知られている（特許文献１）。
【先行技術文献】
【特許文献】
【０００４】
【特許文献１】特開平１０−０３７２００号公報
【発明の概要】
【発明が解決しようとする課題】
【０００５】
しかしながら、柵体や壁体などの壁面部材を支える鋼管からなる支柱を地中深く打ち込むことは困難であり、土留め部材の設置作業性が悪く、施工費も高くなるという課題がある。
【０００６】
本発明は上記の課題に鑑みてなされたものであり、設置作業性を向上することを目的とする。
【課題を解決するための手段】
【０００７】
上記の課題を解決するため、本発明に係る土留め部材は、
壁面部材を複数の支柱部材で支える土留め部材であって、
前記支柱部材は、
前記壁面部材と連結する支柱と、
地中に打ち込まれる複数本の杭と、
前記支柱と前記複数本の杭とを結合する結合部材と、を含む
構成とした。
【０００８】
本発明によれば、設置作業性を向上することができる。
【図面の簡単な説明】
【０００９】
【図１】本発明の第１実施形態に係る土留め部材の正面説明図である。
【図２】同じく平面説明図である。
【図３】同じく側面説明図である。
【図４】同じく要部拡大断面説明図である。
【図５】同じく支柱部材の斜視説明図である。
【図６】同土留め部材の設置方法の説明に供する説明図である。
【図７】本発明の第２実施形態における土留め部材の設置状態を説明する側面説明図である。
【図８】本発明の第３実施形態に係る土留め部材を説明する側面説明図である。
【図９】本発明の第４実施形態に係る土留め部材における支柱部材の斜視説明図である。
【図１０】本発明の第５実施形態に係る土留め部材における支柱部材の斜視説明図である。
【図１１】本発明の第６実施形態に係る土留め部材における支柱部材の斜視説明図である。
【図１２】図１１のＡ−Ａ線に沿う断面説明図である。
【発明を実施するための形態】
【００１０】
以下、本発明の実施の形態について添付図面を参照して説明する。本発明の第１実施形態について図１ないし図５を参照して説明する。図１は同実施形態に係る土留め部材の正面説明図、図２は同じく平面説明図、図３は同じく側面説明図、図４は同じく要部拡大断面説明図、図５は同じく支柱部材の斜視説明図である。
【００１１】
土留め部材１は、土５２を留める壁面部材２と、壁面部材２を支える複数の支柱部材３とで構成されている。
【００１２】
壁面部材２は、再生プラスチック製の複数の土留め板２１をつなぎ板２２で連結したものであり、土留め板２１とつなぎ板２２とはボルト２３で固定されている。
【００１３】
この壁面部材２はボルト４１で支柱部材３に固定している。ボルト４１は壁面部材２を貫通するさや管４２内を通している。本実施形態では、壁面部材２は、土留め板２１を３段積み上げている。
【００１４】
支柱部材３は、壁面部材２と連結され、一部が地中５１に打ち込まれるパイプ状部材である支柱３１と、地中５１に打ち込まれる複数本の杭３２と、支柱３１と複数本の杭３２とを結合する結合部材３３とを含む。
【００１５】
支柱３１の上端部分は、樹脂製筒状部材である擬木２４内に挿入され、擬木２４とともにボルト４１で壁面部材２と連結される。
【００１６】
支柱３１の下端部分は、結合部材３３を貫通し、結合部材３３に溶接などで固定されている。この支柱３１の下端部分の結合部材３３からの突出している先端部分３１ａは、土留め部材１を設置するときの仮支え用の地中杭となる部分であり、突出し量（根入れ量）は、例えば、６０〜７０ｃｍｍとしている。
【００１７】
結合部材３３は、断面矩形状の部材の長手方向（長さＬ２の方向）の両端部で、短手方向（幅Ｌ１の方向）の両側部に、それぞれ杭３２を固定する杭固定部３５を溶接などで一体に設けて構成している。なお、結合部材３３の長手方向両端部開口は蓋部材３４を設けて補強しているが、蓋部材３４を設けないで開口状態のままにすることもできる。
【００１８】
杭固定部３５は、有底の箱状部であり、底部に杭３２が貫通する穴部３５ａが設けられている。杭固定部３５には、杭固定部３５内に杭３２の上端部が突き出している状態で、杭固定部３５の穴部３５ａと杭３２との間を例えばシリコーングリースなどの封止剤３６で封止した状態で、杭固定部３５内にモルタル、コンクリートなどの固定材３７を充填して固化させる。
【００１９】
これにより、杭３２と杭固定部３５とが固定され、支柱３１と杭３２とが結合部材３３で強固に結合される。
【００２０】
杭３２は、支柱３１よりも地中５１への打設が容易な部材で構成している。本実施形態では、杭３２として異形鉄筋杭を使用しているが、これに限るものではない。
【００２１】
次に、この土留め部材の設置方法について図６も参照して説明する。図６は同設置方法の説明に供する説明図である。
【００２２】
まず、図６（ａ）に示すように、支柱部材３の支柱３１の先端部分３１ａを、所定の深さ、例えば６０〜７０ｃｍ分、地中５１に打ち込む。このとき、支柱３１には結合部材３３が溶接などで固定されている。
【００２３】
結合部材３３は、図２及び図５に示すように、長手方向（長さＬ２の方向）が壁面部材２の前後方向（壁面部材２に沿う方向に直交する方向）になり、短手方向（幅Ｌ１の方向）が壁面部材２に沿う方向になるように配置する。
【００２４】
そして、図６（ｂ）に示すように、結合部材３３の杭固定部３５の穴部３５ａを通して、杭３２を杭固定部３５と固定可能な状態で、杭３２を所定の深さまで地中５１に打ち込む。本実施形態では、４本の杭３２の打ち込んだ後、杭固定部３５の穴部３５ａと杭３２との間を封止剤３６で封止し、杭固定部３５内に、モルタル、コンクリートなどの固定材３７を流し込んで固化させる。
【００２５】
これにより、結合部材３３を介して支柱３１と複数本の杭３２とが結合される。
【００２６】
その後、図６（ｃ）に示すように、壁面部材２と支柱部材３とをボルト４１などで固定して土留め部材１を完成する。本実施形態では、地表が平坦面であり、結合部材３３は地中５１に埋設された状態にしているが、これに限るものではない。
【００２７】
ここで、相対的に大径のパイプ状の支柱３１を地中深く打ち込むことは困難であるのに対して、異形鉄筋杭などの杭３２を地中に深く打ち込むことは容易である。したがって、土留め部材１の設置作業性が向上し、施工費の低減を図ることができる。
【００２８】
また、１本の支柱３１が受ける力を、結合部材３３を介して、複数の杭３２に分散して受けることで、十分な強度を確保することができる。
【００２９】
次に、本発明の第２実施形態について図７を参照して説明する。図７は同実施形態における土留め部材の設置状態を説明する側面説明図である。
【００３０】
本実施形態では、土留め部材１を傾斜面５３に設置している。この場合、結合部材３３の一部は地中５１に埋設しないで地表に現出している状態とすることができる。
【００３１】
このような状態でも土留め部材１を設置することができる。
【００３２】
次に、本発明の第３実施形態について図８を参照して説明する。図８は同実施形態に係る土留め部材を説明する側面説明図である。
【００３３】
本実施形態では、結合部材３３の杭固定部３５の高さＨ１を、結合部材３３の支柱３１を固定している部分（これを「本体部３３ａ」という。）の高さよりも地中方向（壁面部材２と連結する側と反対方向）に高くしている。
【００３４】
また、結合部材３３への支柱３１の固定位置は、支柱３１から結合部材３３の壁面部材２の土５２を留める側の端部までの距離Ｌ２１よりも、支柱３１から結合部材３３の壁面部材２の土５２を留める側と反対側の端部までの距離Ｌ２２の方が長くなる位置としている。
【００３５】
このように、距離Ｌ２２が長くなるように支柱３１の固定位置を偏らせることで、土留め部材１の土圧に対する耐力が向上する。
【００３６】
また、壁面部材２を挟んで前後に配置される杭３２Ａ、３２Ｂは、壁面部材２の土５２を留める側に配置する杭３２Ｂの長さｈ１よりも、支壁面部材２の土５２を留める側と反対側に配置する杭３２Ａの長さｈ２を長くしている。
【００３７】
これにより、傾斜面５３などに土留め部材１を設置するときでも、杭３２を十分な深さまで打ち込むことができ、土留め部材１の土圧に対する耐力が向上する。
【００３８】
次に、本発明の第４実施形態について図９を参照して説明する。図９は同実施形態に係る土留め部材における支柱部材の斜視説明図である。
【００３９】
本実施形態では、支柱部材３は、結合部材３３に２つの杭固定部３５を設け、２本の杭３２で固定する構成としている。
【００４０】
壁面部材２の高さが低いような場合には２本の杭３２でも十分な強度を確保することができる。
【００４１】
次に、本発明の第５実施形態について図１０を参照して説明する。図１０は同実施形態に係る土留め部材における支柱部材の斜視説明図である。
【００４２】
本実施形態では、支柱部材３は、結合部材３３を平面形状で略三角形状として、３辺にそれぞれ杭固定部３５を設けて、３本の杭３２で固定する構成としている。
【００４３】
次に、本発明の第６実施形態について図１１及び図１２を参照して説明する。図１１は同実施形態に係る土留め部材における支柱部材の斜視説明図、図１２は図１１のＡ−Ａ線に沿う断面説明図である。
【００４４】
本実施形態では、鉄筋杭からなる杭３２の上端部にはネジ部６０が形成されている。そして、杭３２の上端部は、結合部材３３の貫通穴３３ｃ、３３ｄを貫通し、結合部材３３の上下で締結具であるナット６１、６２によって締付けられ、杭３２が結合部材３３に固定されている。
【００４５】
本実施形態の土留め部材を設置するときには、杭３２を所定の位置に打ち込み、杭３２の上端部のねじ部６０にナット６１を装着した後、杭３２のねじ部６０を結合部材３３の貫通穴３３ｃ、３３ｄを通し、杭３２に結合部材３３を嵌め込む。その後、ナット６２を締め付けて、杭３２を結合部材３３に固定する。なお、下側のナット６１は必ずしも必要ではなく、結合部材３３を係止できるフランジ部などであってもよい。また、杭３２として鋼管を使用することもできる。
【符号の説明】
【００４６】
１  土留め部材
２  壁面部材
３  支柱部材
２４  擬木（筒状部材）
３１  支柱（パイプ状部材）
３２、３２Ａ、３２Ｂ  杭
３３  結合部材
３４  補強板
３５  杭固定部
【図１】
2019190096.tif 000003
【図２】
2019190096.tif 000004
【図３】
2019190096.tif 000005
【図４】
2019190096.tif 000006
【図５】
2019190096.tif 000007
【図６】
2019190096.tif 000008
【図７】
2019190096.tif 000009
【図８】
2019190096.tif 000010
【図９】
2019190096.tif 000011
【図１０】
2019190096.tif 000012
【図１１】
2019190096.tif 000013
【図１２】
2019190096.tif 000014
【手続補正書】
【提出日】令和1年7月4日(2019.7.4)
【手続補正１】
【補正対象書類名】特許請求の範囲
【補正対象項目名】全文
【補正方法】変更
【補正の内容】
【特許請求の範囲】
【請求項１】
壁面部材を複数の支柱部材で支える土留め部材であって、
前記支柱部材は、
前記壁面部材と連結する支柱と、
複数本の杭と、
前記支柱と前記複数本の杭とを結合する結合部材と、を含み、
前記結合部材は、前記支柱の周りに少なくとも２つの杭固定部を有し、
前記複数の杭は、前記２つの杭固定部にそれぞれ固定される
ことを特徴とする土留め部材。
【請求項２】
前記支柱は、前記結合部材を貫通した状態で前記結合部材に結合され、
前記支柱は、地中に打ち込まれる長さを有している
ことを特徴とする請求項１に記載の土留め部材。
【請求項３】
前記杭固定部は、箱状であり、
前記杭固定部に充填される固定材で前記杭が固定される
ことを特徴とする請求項１又は２に記載の土留め部材。
【請求項４】
前記杭は、前記結合部材に締結具で固定される
ことを特徴とする請求項１又は２に記載の土留め部材。
【請求項５】
前記杭は異形鉄筋杭又は鋼管である
ことを特徴とする請求項１ないし４のいずれかい記載の土留め部材。
【請求項６】
壁面部材と連結する支柱と、
複数本の杭と、
前記支柱と前記複数本の杭とを結合する結合部材と、を含み、
前記結合部材は、前記支柱を中心として周囲に少なくとも２つの杭固定部を有し、
前記複数の杭は、前記２つの杭固定部にそれぞれ固定される土留め部材を設置する方法であって、
前記結合部材に固定された前記支柱の端部を地中に打ち込む工程と、
前記結合部材と固定可能な状態で前記複数本の杭を前記地中に打ち込む工程と、
前記杭を前記結合部材の杭固定部に固定する工程と、を行う
ことを特徴とする土留め部材の設置方法。
【請求項７】
前記結合部材の少なくとも一部は地中に埋設した状態にする
ことを特徴とする請求項６に記載の土留め部材の設置方法。
【請求項８】
前記結合部材は、前記杭と固定する箱状の杭固定部を有し、
前記杭を前記結合部材に固定する工程では、前記杭固定部内にモルタル又はコンクリートを充填する
ことを特徴とする請求項６又７に記載の土留め部材の設置方法。
【請求項９】
前記杭を前記結合部材に固定する工程では、前記杭を締結具で固定する
ことを特徴とする請求項６又は７に記載の土留め部材の設置方法。
【手続補正２】
【補正対象書類名】明細書
【補正対象項目名】０００７
【補正方法】変更
【補正の内容】
【０００７】
上記の課題を解決するため、本発明に係る土留め部材は、
壁面部材を複数の支柱部材で支える土留め部材であって、
前記支柱部材は、
前記壁面部材と連結する支柱と、
複数本の杭と、
前記支柱と前記複数本の杭とを結合する結合部材と、を含み、
前記結合部材は、前記支柱を中心として周囲に少なくとも２つの杭固定部を有し、
前記複数の杭は、前記２つの杭固定部にそれぞれ固定される
構成とした。